(57)【要約】【課題】  利用者がドキュメントの内容を概観する際の利便性を高めることのできるドキュメント表示装置を提供する。【解決手段】  処理対象となったドキュメントの内容を送り表示するドキュメント表示装置であって、前記処理対象ドキュメントの内容のうち、少なくとも一部に、送り表示に係る処理条件を規定する指示情報を関連付けて記録する指示情報記録手段と、前記処理対象ドキュメントの内容を送り表示する際に、前記記録された指示情報に基づいて所定処理を行う処理手段と、を含む。【選択図】      図３
2006092049.tif 000002
【特許請求の範囲】
【請求項１】
処理対象となったドキュメントの内容を送り表示するドキュメント表示装置であって、
前記処理対象ドキュメントの内容のうち、少なくとも一部に、送り表示に係る処理条件を規定する指示情報を関連付けて記録する指示情報記録手段と、
前記処理対象ドキュメントの内容を送り表示する際に、前記記録された指示情報に基づいて所定処理を行う処理手段と、
を含むことを特徴とするドキュメント表示装置。
【請求項２】
前記指示情報は、前記処理対象ドキュメントの送り表示における送り速度を規定する情報であって、
前記処理手段は、前記指示情報の関連付けられた部分と、その他の部分と、について、それぞれの送り速度を異ならせて送り表示する、
ことを特徴とする請求項１に記載のドキュメント表示装置。
【請求項３】
前記処理対象ドキュメントは複数の要素データを含んでなり、
前記処理手段は、予め定められた送り速度より大きな送り速度で送り表示するときには、前記処理対象ドキュメントに含まれる複数の要素データのうち、一部の要素データを送り表示する、
ことを特徴とする請求項２に記載のドキュメント表示装置。
【請求項４】
前記処理対象ドキュメントの内容のうち、少なくとも一部について、データ量を低減させた表示用データを生成する手段をさらに含み、
前記処理手段は、予め定められた送り速度より大きな送り速度で送り表示するときには、前記生成された表示用データを送り表示する、
ことを特徴とする請求項２又は３に記載のドキュメント表示装置。
【請求項５】
利用者からの操作を受け入れる手段をさらに含み、
前記処理手段は、前記処理対象ドキュメントの内容を送り表示する際に、前記受け入れられた操作の内容と、前記指示情報と、に基づいて所定処理を行う、
ことを特徴とする請求項１乃至４のいずれか一項に記載のドキュメント表示装置。
【請求項６】
コンピュータに、処理対象となったドキュメントの内容を送り表示させるドキュメント表示プログラムであって、
コンピュータに、
前記処理対象ドキュメントの内容のうち、少なくとも一部に、送り表示に係る処理条件を規定する指示情報を関連付けて記録する手順と、
前記処理対象ドキュメントの内容を送り表示する際に、前記記録された指示情報に基づいて所定処理を行う手順と、
を実行させることを特徴とするドキュメント表示プログラム。
【請求項７】
コンピュータに、処理対象となったドキュメントの内容を送り表示させるドキュメント表示方法であって、
コンピュータに、
前記処理対象ドキュメントの内容のうち、少なくとも一部に、送り表示に係る処理条件を規定する指示情報を関連付けて記録する工程と、
前記処理対象ドキュメントの内容を送り表示する際に、前記記録された指示情報に基づいて所定処理を行う工程と、
を実行させることを特徴とするドキュメント表示方法。
【発明の詳細な説明】
【技術分野】
【０００１】
本発明は、ドキュメントの送り表示処理を行うドキュメント表示装置に関する。
【背景技術】
【０００２】
ドキュメントの一部のみがコンピュータのディスプレイ上に表示されている場合、当該コンピュータの利用者は、当該ドキュメントの全体を概観するために、当該ドキュメントの内容を送り表示させることがある。
【０００３】
ここで、送り表示とは、例えばドキュメントの内容（例えば、当該ドキュメント上に形成されている文字列や画像等）を連続的又は断続的に変更させながら表示することである。
【０００４】
具体的に、連続的な送り表示とは、例えばドキュメントの内容を、その先頭から終端まで文字列ごとにずらしながら表示する、いわゆるスクロール表示等である。
【０００５】
また、断続的な送り表示とは、例えば複数のページからなるドキュメントの内容を、当該ドキュメントにおいて規定されているページ区切りごと（１ページごと）に表示する、いわゆるページ送り表示等である。
【０００６】
従来、このような送り表示としては、利用者がマウスやタッチパッド等を介して入力する指示に従い、ドキュメントを１ページずつ順次、送り表示すること等が行われていた（例えば、特許文献１参照）。
【特許文献１】特開２０００−１６３１９３号公報
【発明の開示】
【発明が解決しようとする課題】
【０００７】
しかしながら、上記従来の技術においては、例えばドキュメントが、利用者にとって利用価値の高いページと、それ以外の読み飛ばしたいページとを含んでいる場合であっても、全てのページについて単調な送り速度で送り表示が行われるため、利用者が当該ドキュメントの内容を概観する際の利便性は低いものとなっていた。
【０００８】
本発明は、上記課題に鑑みてなされたものであって、利用者がドキュメントの内容を概観する際の利便性を高めることのできるドキュメント表示装置を提供することをその目的の一つとする。
【課題を解決するための手段】
【０００９】
上記従来の課題を解決するための本発明の一実施形態に係るドキュメント表示装置は、処理対象となったドキュメントの内容を送り表示するドキュメント表示装置であって、前記処理対象ドキュメントの内容のうち、少なくとも一部に、送り表示に係る処理条件を規定する指示情報を関連付けて記録する指示情報記録手段と、前記処理対象ドキュメントの内容を送り表示する際に、前記記録された指示情報に基づいて所定処理を行う処理手段と、を含むことを特徴とする。
【００１０】
また、前記指示情報は、前記処理対象ドキュメントの送り表示における送り速度を規定する情報であって、前記処理手段は、前記指示情報の関連付けられた部分と、その他の部分と、について、それぞれの送り速度を異ならせて送り表示する、こととしてもよい。
【００１１】
また、前記処理対象ドキュメントは複数の要素データを含んでなり、前記処理手段は、予め定められた送り速度より大きな送り速度で送り表示するときには、前記処理対象ドキュメントに含まれる複数の要素データのうち、一部の要素データを送り表示する、こととしてもよい。
【００１２】
また、前記処理対象ドキュメントの内容のうち、少なくとも一部について、データ量を低減させた表示用データを生成する手段をさらに含み、前記処理手段は、予め定められた送り速度より大きな送り速度で送り表示するときには、前記生成された表示用データを送り表示する、こととしてもよい。
【００１３】
また、利用者からの操作を受け入れる手段をさらに含み、前記処理手段は、前記処理対象ドキュメントの内容を送り表示する際に、前記受け入れられた操作の内容と、前記指示情報と、に基づいて所定処理を行う、こととしてもよい。
【００１４】
また、本発明の一実施の形態に係るドキュメント表示プログラムは、コンピュータに、処理対象となったドキュメントの内容を送り表示させるドキュメント表示プログラムであって、コンピュータに、前記処理対象ドキュメントの内容のうち、少なくとも一部に、送り表示に係る処理条件を規定する指示情報を関連付けて記録する手順と、前記処理対象ドキュメントの内容を送り表示する際に、前記記録された指示情報に基づいて所定処理を行う手順と、を実行させることを特徴とする。
【００１５】
また、本発明の一実施の形態に係るドキュメント表示方法は、コンピュータに、処理対象となったドキュメントの内容を送り表示させるドキュメント表示方法であって、コンピュータに、前記処理対象ドキュメントの内容のうち、少なくとも一部に、送り表示に係る処理条件を規定する指示情報を関連付けて記録する工程と、前記処理対象ドキュメントの内容を送り表示する際に、前記記録された指示情報に基づいて所定処理を行う工程と、を実行させることを特徴とする。
【発明を実施するための最良の形態】
【００１６】
以下に、本発明の一実施の形態に係るドキュメント表示装置について、図面を参照しながら説明する。本実施形態においては、ドキュメント表示装置が図１（ａ）に示すドキュメントＤを処理対象とする場合を例として説明する。
【００１７】
この処理対象ドキュメントＤは、紙文書をスキャナで電子化して生成された画像データ（ビットマップデータ）からなるドキュメントである。
【００１８】
図１（ａ）には、この処理対象ドキュメントＤに含まれる複数ページのうち、１ページ分を示している。この図１（ａ）に示すページ内には、複数の写真画像部分Ｐと、複数の文字列が形成されるテキスト部分Ｔと、が形成されている。
【００１９】
図２は、本実施形態に係るドキュメント表示装置１の主な構成を示すブロック図である。図２に示すように、ドキュメント表示装置１は、制御部１０と、記憶部２０と、インターフェース部３０と、操作入力部４０と、表示部５０と、を含んで構成される。
【００２０】
制御部１０は、ＣＰＵ等を用いて実現でき、記憶部２０に格納されているプログラムに従って動作している。この制御部１０が行う処理の具体的な内容については、後に詳しく述べる。
【００２１】
記憶部２０は、ＲＡＭ（Random Access Memory）や、ＲＯＭ（Read Only Memory）等のメモリ素子、並びにハードディスク等によって実現できる。この記憶部２０には、制御部１０によって実行されるプログラムが保持されている。また、この記憶部２０は、制御部１０の処理の過程で利用される種々のデータを保持するワークメモリとして動作する。
【００２２】
インターフェース部３０は、ネットワークカード等によって実現できる。このインターフェース部３０は、ＬＡＮ（Local Area Network）やインターネット等のネットワークに接続されており、当該ネットワークを介して処理対象ドキュメントＤ等を受け入れ、制御部１０に出力する。また、このインターフェース部３０は、制御部１０から入力される指示に従って、制御部１０から入力されるデータをネットワークを介して送信出力する。
【００２３】
操作入力部４０は、マウスやキーボード等によって実現できる。この操作入力部４０は、ドキュメント表示装置１の利用者からの指示操作を受け入れて、当該指示の内容を制御部１０に出力する。表示部５０は、ディスプレイ等であり、制御部１０から入力される指示に従って、制御部１０から入力されるデータを表示出力する。
【００２４】
次に、制御部１０が行う処理の内容について説明する。本実施形態における制御部１０は、処理対象ドキュメントＤの内容のうち少なくとも一部を注目対象として特定する処理と、当該特定された注目対象と送り表示に係る処理条件を規定する指示情報とを関連付けて記録する処理と、当該記録された指示情報に基いて、当該処理対象ドキュメントＤの内容を送り表示する処理と、を主に行う。
【００２５】
図３は、制御部１０によって行われる主な処理を表す機能ブロック図である。図３に示すように、この制御部１０が実行するプログラムは、ドキュメント受入処理部１１と、注目対象特定部１２と、指示情報生成部１３と、表示処理部１４と、を機能的に含む。
【００２６】
ドキュメント受入処理部１１は、インターフェース部３０を介して処理対象ドキュメントＤを受け入れ、当該処理対象ドキュメントＤに含まれる画像データに基づいて、複数の要素データを生成する処理を行う。
【００２７】
具体的に、このドキュメント受入処理部１１は、処理対象ドキュメントＤの図１（ａ）に示すページ部分については、まず当該ページに形成される画像データのうち、文字列に係るテキスト部分ＴについてＯＣＲ（Optical Character Reading）処理を施し、処理対象ドキュメントＤ上に形成されたものと同一の文字内容を表すテキストデータからなるテキスト部分Ｔを生成する。
【００２８】
そして、このドキュメント受入処理部１１は、このＯＣＲ処理後の処理対象ドキュメントＤに含まれるデータのうち、テキスト部分Ｔを分離し、図１（ｂ）に示すように当該分離したテキスト部分Ｔを含む第１レイヤ（テキストレイヤ）Ａを要素データとして生成する。
【００２９】
また、このドキュメント受入処理部１１は、処理対象ドキュメントＤの図１（ａ）に示すページ部分について、当該ページに形成される２つの写真画像部分Ｐを分離し、図１（ｃ）に示すように当該分離した２つの写真画像部分Ｐを含む第２レイヤ（画像レイヤ）Ｂを要素データとして生成する。なお、このドキュメント受入処理部１１によるデータ分離処理は、広く知られたテキストデータと画像データとを分離するＴＩ分離技術を利用してもよい。
【００３０】
そして、このドキュメント受入処理部１１は、生成したテキストレイヤＡと画像レイヤＢとを、処理対象ドキュメントＤに係る複数の要素データとして互いに関連付けるフォーマット（例えばテキストレイヤＡに画像レイヤＢを重ね合わせて表示する等）を生成し、当該要素データを注目対象特定部１２又は表示処理部１４に出力する。
【００３１】
注目対象特定部１２は、ドキュメント受入処理部１１から受け入れた要素データに含まれる内容のうちから、後述する送り表示処理における注目対象を特定する処理を行う。本実施形態においては、記憶部２０が、注目対象として予め定められた複数の文字列（キーワード）を列挙したキーワードリストを保持している場合を例として説明する。
【００３２】
具体的に、この注目対象特定部１２は、記憶部２０からキーワードリストを読み出し、ドキュメント受入処理部１１から受け入れたテキストレイヤＡ又は画像レイヤＢにおいて、その内容として当該キーワードリストに含まれるいずれかのキーワードが含まれているか否かを検索する。
【００３３】
そして、この注目対象特定部１２は、図１（ｂ）に示すテキストレイヤＡ上に形成されているテキスト部分Ｔにおいて、キーワードリストに含まれているキーワードのうちの１つである文字列Ｎを検出した場合には、当該文字列Ｎと、当該文字列Ｎの処理対象ドキュメントＤ上における形成位置と、を関連付けた注目対象位置情報を生成する。
【００３４】
この注目対象位置情報は、例えば、注目対象として特定された文字列Ｎと、当該文字列Ｎが含まれているページ（すなわち文字列Ｎが含まれているテキスト部分Ｔが形成されている図１（ａ）に示すページ）の番号と、当該文字列Ｎのテキスト部分Ｔにおける行番号と、を関連付けた情報である。
【００３５】
この注目対象特定部１２は、処理対象ドキュメントＤに複数のキーワードが含まれる場合には、当該複数のキーワードを注目対象として特定し、当該各キーワードとその形成位置とを関連付けた注目対象位置情報を生成し、指示情報生成部１３に出力する。
【００３６】
指示情報生成部１３は、送り表示の処理条件として予め定められた処理ルールを記憶部２０から読み出し、当該処理ルールと、注目対象特定部１２から受け入れた注目対象位置情報と、に基づいて、当該注目対象位置情報に含まれる各注目対象と、当該処理ルールによって規定される処理条件と、を関連付けた指示情報を生成する。
【００３７】
具体的に、この指示情報生成部１３は、図４に示すように、注目対象特定部１２により特定された注目対象である複数のキーワード（図１（ｂ）における文字列Ｎを含む）と、当該各キーワードが形成されるページ番号及び行番号と、当該各キーワードに係る送り表示の処理条件と、を関連付けた指示情報テーブルを生成する。
【００３８】
ここで、図４に示す指示情報テーブルに含まれる、各キーワードに関連付けられた処理条件は、例えば、指示情報が関連付けられたキーワードに係るページと、その他のページと、について、それぞれの送り速度を異ならせて送り表示するよう規定するものであってもよい。
【００３９】
具体的に、この場合、この指示情報生成部１３は、処理対象ドキュメントＤに含まれる複数のページのうち、文字列Ｎが形成される図１（ｂ）に示すページと、その前後所定数のページ（例えば２ページ）と、を注目ページとして特定し、当該注目ページを、その他のページに比べて小さな送り速度で送り表示するよう規定する処理条件を含む指示情報テーブルを生成する。
【００４０】
また、この指示情報生成部１３は、文字列Ｎが形成される図１（ｂ）に示すページとその前後所定数のページ（例えば２ページ）からなる第１注目ページについては第１の送り速度で、またさらにその前後所定数のページ（例えば３ページ）からなる第２注目ページについては当該第１の送り速度より大きい第２の送り速度で、そしてこれら注目ページ以外のページについては当該第２の送り速度より大きい第３の送り速度で、それぞれ送り表示する、というように、注目対象が形成されるページを基準として、段階的に送り速度が変化するよう規定する処理条件を含む指示情報テーブルを生成してもよい。
【００４１】
なお、この各ページの送り速度の調整は、例えば、制御部１０が実行するプログラムにおいて、現在表示中のページから次のページを表示するまでの間の待ち時間を調整する（送り速度を小さくする場合には、待ち時間を大きくする）こと等によって実現される。この場合、図４に示す指示情報テーブルに含まれる処理条件は、この待ち時間を指定する情報を含むこととなる。この指示情報生成部１３は、生成した指示情報を記憶部２０に格納し、又は表示処理部１４に出力する。
【００４２】
表示処理部１４は、ドキュメント表示装置１の利用者から操作入力部４０を介して、処理対象ドキュメントＤの内容を表示するよう指示する操作を受け入れると、ドキュメント受入処理部１１から受け入れたテキストレイヤＡと画像レイヤＢとを重ね合わせて再構築した処理対象ドキュメントＤを表示部５０に出力し、当該利用者に対して提示させる。
【００４３】
また、この表示処理部１４は、利用者から表示中の処理対象ドキュメントＤについて送り表示をするよう指示する操作を受け入れると、指示情報生成部１３から受け入れた指示情報に基づいて、当該指示情報により規定される処理条件で、処理対象ドキュメントＤの送り表示処理を行う。
【００４４】
具体的に、この表示処理部１４は、指示情報生成部１３から受け入れた指示情報に基づいて、処理対象ドキュメントＤに含まれる複数のページのうち、現在表示しているページの番号と、指示情報生成部１３によって文字列Ｎについて特定された注目ページの番号と、が一致するか否かを判断する。
【００４５】
そして、この表示処理部１４は、現在表示しているページ番号が注目ページ番号と一致しない場合には、あらかじめ定められた所定の送り速度で当該処理対象ドキュメントＤの送り表示を行う。
【００４６】
また、この表示処理部１４は、現在表示されているページ番号が注目ページ番号と一致すると判断した場合には、指示情報に含まれる文字列Ｎに関連付けられた処理条件に従って、当該文字列Ｎに係る注目ページについての送り速度を、当該注目ページ以外のページについての送り速度と異ならせて送り表示を行う。
【００４７】
このように、本実施形態に係るドキュメント表示装置１によれば、例えば、処理対象ドキュメントＤの内容のうち、注目対象に係るページ以外のページについては、読み飛ばすように比較的大きな送り速度で送り表示し、注目対象に係るページについては、利用者がその内容を確認できる程度の比較的小さな送り速度で送り表示することにより、当該利用者が処理対象ドキュメントＤの内容を概観する際の利便性を高めることができる。
【００４８】
また、このドキュメント表示装置１は、注目対象に係るページ以外のページについての送り表示処理において、その送り速度が予め定められた送り速度より大きい場合には、処理対象ドキュメントＤに係る複数の要素データのうち、一部を送り表示することとしてもよい。
【００４９】
具体的に、この場合、指示情報生成部１３は、注目対象に係るページ以外のページについての送り表示処理において、その送り速度が所定の閾値未満の場合には、複数の要素データ（例えば図示しないテキストレイヤと画像レイヤ）の全てを用いて再構築した処理対象ドキュメントＤを送り表示し、その送り速度が所定の閾値以上の場合には、当該複数の要素データのうち、一部（例えば図示しないテキストレイヤのみ）を送り表示するよう、処理条件を規定する指示情報を生成する。
【００５０】
そして、表示処理部１４は、この指示情報生成部１３から受け入れた指示情報に基づいて、注目対象に係るページ以外のページの送り速度が所定の閾値以上か否かを判断し、当該所定の閾値未満の場合には、テキストレイヤと画像レイヤ（不図示）とを重ね合わせて再構築したページを表示し、当該所定の閾値以上と判断した場合には、当該複数のレイヤのうち、テキストレイヤ又は画像レイヤ（不図示）のいずれか一方を送り表示する。
【００５１】
また、このドキュメント表示装置１は、注目対象に係るページ以外のページについての送り表示処理において、その送り速度が予め定められた送り速度より大きい場合には、処理対象ドキュメントＤの内容のうち、少なくとも一部について、データ量を低減させた表示用データを送り表示することとしてもよい。
【００５２】
具体的に、この場合、ドキュメント受入処理部１１は、受け入れた処理対象ドキュメントＤについて、その解像度を低減させたサムネイル画像（不図示）を表示用データとして生成する。
【００５３】
そして、指示情報生成部１３は、注目対象に係るページ以外のページについての送り表示処理において、その送り速度が所定の閾値未満の場合には、複数の要素データ（例えば図示しないテキストレイヤと画像レイヤ）の全てを用いて再構築された処理対象ドキュメントＤを送り表示し、その送り速度が所定の閾値以上の場合には、サムネイル画像（不図示）を送り表示するよう、処理条件を規定する指示情報を生成する。
【００５４】
したがって、表示処理部１４は、この指示情報生成部１３から受け入れた指示情報に基づいて、注目対象に係るページ以外のページの送り速度が所定の閾値以上か否かを判断し、当該所定の閾値未満の場合には、テキストレイヤと画像レイヤ（不図示）とを重ね合わせて再構築したページを表示し、当該所定の閾値以上と判断した場合には、ドキュメント受入処理部１１から受け入れたサムネイル画像（不図示）を送り表示する。なお、この場合、ドキュメント受入処理部１１は、注目対象特定部１２から注目対象に係る注目ページの番号を受け入れて、当該注目ページ以外のページについて選択的に表示用データを生成してもよい。
【００５５】
また、このドキュメント表示装置１は、操作入力部４０を介して利用者から受け入れた指示操作と、生成した指示情報と、に基づいて送り表示処理を行うこととしてもよい。
【００５６】
具体的に、この場合、表示処理部１４は、まず送り表示処理における処理条件の一部として、注目対象に係るページ又はその他のページの送り表示における送り速度について互いに異なる複数の大きさの送り速度を選択可能にディスプレイ上に表示させる。そして、例えば利用者が注目対象に係るページについては第１の送り速度を、その他のページについては当該第１の送り速度の３倍の大きさの第２の送り速度を、それぞれ選択した場合には、この表示処理部１４は、当該選択された送り速度を指示する操作と、指示情報生成部１３から受け入れた指示情報と、に基づいて、当該指示情報に含まれる各注目対象に係るページ及びその他のページについて、当該第１の送り速度及び第２の送り速度でそれぞれ送り表示を行う。
【００５７】
本発明に係るドキュメント表示装置１は、本実施形態に限られない。例えば、ドキュメント受入処理部１１が受け入れる処理対象ドキュメントＤは、テキストデータによって形成されるテキストや、ベクタデータによって形成される線図を含むものであってもよい。この場合、注目対象特定部１２は、予め定められた線図や写真画像等を注目対象として特定してもよい。また、ドキュメント受入処理部１１が受け入れる処理対象ドキュメントＤは、予め記憶部２０に格納されたものを読み出したものであってもよい。
【００５８】
また、ドキュメント受入処理部１１が生成する要素データは、レイヤとして生成されるものに限られず、例えば図１（ａ）に示す処理対象ドキュメントＤに含まれる写真画像部分Ｐとテキストデータ部部分Ｔとを、当該処理対象ドキュメントＤ上におけるそれぞれの形成位置と関連付けてテーブルとして保持したものであってもよい。この場合、各要素データの形成位置は、例えば矩形の写真画像部分Ｐについては、その矩形を特定する２つの頂点について、処理対象ドキュメントＤ上に設定されたＸＹ座標系におけるＸＹ座標値を特定する情報であってもよい。
【００５９】
また、指示情報生成部１３が生成する指示情報に含まれる処理条件は、注目対象が形成されるページ及びその前後所定数のページ以外は表示しないことを規定するものであってもよい。また、この指示情報に含まれる処理条件は、キーワードごとに異なるものであってもよい。この場合、どの注目対象についてはどの処理条件が適用されるか、といった処理条件適用ルールが予め記憶部２０に保持され、指示情報生成部１３がこれを読み出して指示情報を生成することとしてもよい。なお、このドキュメント表示装置１は、例えばマウスのクリックボタンの押下が解除されて送り表示が停止された場合は、画面に表示すべき画像を再構成して表示する。このため、送り表示の処理が効率的に行えるとともに、送り表示停止後に操作上の支障を生じない。
【００６０】
また、このドキュメント表示装置１は、注目対象に係るページ以外のページについての送り表示処理において、操作入力部４０を介して利用者から受け入れた指示操作が所定条件を満たす場合には、その送り速度を増加させることとしてもよい。
【００６１】
具体的に、この場合、このドキュメント表示装置１の利用者がディスプレイ上に表示された処理対象ドキュメントＤに係るスクロールバーをマウスのクリックボタンを押下することによって選択している場合には、制御部１０の表示処理部１４は、このマウスのクリックボタンを押下し続けている時間が所定時間以上か否かを判断し、当該所定時間未満の場合には所定の標準送り速度で送り表示し、当該所定時間以上と判断した場合には、その送り速度を当該所定の標準送り速度より大きな送り速度に増加させる。
【図面の簡単な説明】
【００６２】
【図１】本発明の一実施形態に係るドキュメント表示装置の処理対象となったドキュメントについての説明図である。
【図２】本発明の一実施形態に係るドキュメント表示装置の主な構成を示すブロック図である。
【図３】本発明の一実施形態に係るドキュメント表示装置が行う主な処理を示す機能ブロック図である。
【図４】本発明の一実施形態に係るドキュメント表示装置が生成する指示情報の一例を示す説明図である。
【符号の説明】
【００６３】
１  ドキュメント表示装置、１０  制御部、１１  ドキュメント受入処理部、１２  注目対象特定部、１３  指示情報生成部、１４  表示処理部、２０  記憶部、３０  インターフェース部、４０  操作入力部、５０  表示部。
【図１】
2006092049.tif 000003
【図２】
2006092049.tif 000004
【図３】
2006092049.tif 000005
【図４】
2006092049.tif 000006